(57)【要約】【課題】表面意匠の選択自由度及び表面仕上シートの貼着性を向上させながらも、表面仕上シートの剥離を抑制し得る框状パネル材を提供する。【解決手段】一対の縦框部１０，１０と一対の横框部２０，２０とを有した四方框部内に鏡板部３０が設けられた框状パネル材１であって、少なくとも前記四方框部のパネル厚さ方向両面１６，１６，１６，１６，２６，２６，２６，２６及びパネル幅方向外側面１７，１７は、表面仕上シート２，３の貼着が可能なように易貼着性の下地面とされており、前記パネル厚さ方向両面における前記一対の縦框部と前記一対の横框部との境界部に沿うように、前記表面仕上シートの端部２ａ，３ａが差し入れられる凹溝部２９が設けられている。【選択図】図１
2015224505.tif 000002
【特許請求の範囲】
【請求項１】
一対の縦框部と一対の横框部とを有した四方框部内に鏡板部が設けられた框状パネル材であって、
少なくとも前記四方框部のパネル厚さ方向両面及びパネル幅方向外側面は、表面仕上シートの貼着が可能なように易貼着性の下地面とされており、
前記パネル厚さ方向両面における前記一対の縦框部と前記一対の横框部との境界部に沿うように、前記表面仕上シートの端部が差し入れられる凹溝部が設けられていることを特徴とする框状パネル材。
【請求項２】
請求項１において、
前記凹溝部に差し入れられた前記表面仕上シートの端部を押さえるように該凹溝部に挿入されるシート押さえ部材を備えていることを特徴とする框状パネル材。
【請求項３】
請求項１または２において、
前記一対の縦框部のパネル厚さ方向の各面と前記一対の横框部のパネル厚さ方向の各面とは、段差状とされていることを特徴とする框状パネル材。
【発明の詳細な説明】
【技術分野】
【０００１】
本発明は、框状パネル材に関する。
【背景技術】
【０００２】
従来の引戸パネルや開き戸パネルなどの建具パネルや、間仕切パネル、その他の内装パネルなどのパネル材は、四周表面に、樹脂シート等の化粧シートが貼着された構成とされている。このようなものでは、壁紙等の色柄の種類に比べて、一般的に色柄の種類が少なく、また、製造会社が壁紙等の他の内装材や内装設備等の製造会社と異なる場合等には、これらの表面意匠と色柄等を合わせ難くなるということも考えられる。また、発注後に表面の色柄等を変え難く、例えば、内装の仕上げ段階の際や部分リフォームの際等に、他の内装部位との調和性等を見たいような場合にも対応が困難であった。
例えば、下記特許文献１では、紙と耐水性樹脂のフィルムとからなる下地シートを、合板やＭＤＦ等の板の両側の表面に貼り付けた構成とされた下地用板が提案されている。
【先行技術文献】
【特許文献】
【０００３】
【特許文献１】実開平９−３２２号公報
【発明の概要】
【発明が解決しようとする課題】
【０００４】
しかしながら、上記特許文献１に記載された下地用板では、厚さ方向両面に壁紙や襖紙等を貼ることは可能ではあるが、側端面への貼着性については考慮がなされておらず、更なる改善が望まれる。また、例えば、四方框部内に鏡板部を設けた構成とされた框状パネルの四方框部のパネル厚さ方向両面に表面仕上シートを貼着することも考えられるが、この場合、パネル厚さ方向両面のそれぞれに一連状に貼着することは困難となることが考えられる。また、四方框部を構成する縦框部及び横框部のそれぞれに個別に表面仕上シートを貼着することも考えられるが、この場合には、これらの境界部において表面仕上シートが剥がれ易くなることが考えられる。
【０００５】
本発明は、上記実情に鑑みてなされたものであり、表面意匠の選択自由度及び表面仕上シートの貼着性を向上させながらも、表面仕上シートの剥離を抑制し得る框状パネル材を提供することを目的としている。
【課題を解決するための手段】
【０００６】
上記目的を達成するために、本発明に係る框状パネル材は、一対の縦框部と一対の横框部とを有した四方框部内に鏡板部が設けられた框状パネル材であって、少なくとも前記四方框部のパネル厚さ方向両面及びパネル幅方向外側面は、表面仕上シートの貼着が可能なように易貼着性の下地面とされており、前記パネル厚さ方向両面における前記一対の縦框部と前記一対の横框部との境界部に沿うように、前記表面仕上シートの端部が差し入れられる凹溝部が設けられていることを特徴とする。
【発明の効果】
【０００７】
本発明に係る框状パネル材は、上述のような構成としたことで、表面意匠の選択自由度及び表面仕上シートの貼着性を向上させながらも、表面仕上シートの剥離を抑制することができる。
【図面の簡単な説明】
【０００８】
【図１】（ａ）、（ｂ）は、いずれも本発明の一実施形態に係る框状パネル材の一例を模式的に示し、（ａ）は、図３（ａ）におけるＸ１−Ｘ１線矢視に対応させた一部破断概略横断面図、（ｂ）は、（ａ）に対応させた一部破断概略横断面図である。
【図２】（ａ）は、図３（ａ）におけるＸ２−Ｘ２線矢視に対応させた一部破断概略横断面図、（ｂ）は、（ａ）に対応させた一部破断概略横断面図である。
【図３】（ａ）は、同框状パネル材の一部破断概略正面図、（ｂ）は、同框状パネル材の一部破断概略斜視図である。
【図４】（ａ）、（ｂ）は、本発明の他の実施形態に係る框状パネル材の一例を模式的に示し、図１（ｂ）に対応させた一部破断概略横断面図である。
【図５】（ａ）、（ｂ）は、本発明の更に他の実施形態に係る框状パネル材の一例を模式的に示し、図１（ｂ）に対応させた一部破断概略横断面図である。
【発明を実施するための形態】
【０００９】
以下に本発明の実施の形態について、図面に基づいて説明する。
なお、一部の図では、他図に付している詳細な符号の一部を省略している。
また、図１、図２、図４及び図５の横断面図では、表面基材及び表面仕上シートの切断面の平行斜線（ハッチング）を省略している。
【００１０】
図１〜図３は、第１実施形態に係る框状パネル材の一例を模式的に示す図である。
本実施形態に係る框状パネル材１は、図３（ａ）に示すように、一対の縦框部１０，１０と一対の横框部２０，２０とを有した四方框部内に鏡板部３０を設けた構成とされている。また、図１及び図２に示すように、少なくとも四方框部のパネル厚さ方向両面１６，１６，１６，１６，２６，２６，２６，２６及びパネル幅方向外側面１７，１７は、表面仕上シート２，３の貼着が可能なように易貼着性の下地面とされている。また、框状パネル材１は、パネル厚さ方向両面における一対の縦框部１０，１０と一対の横框部２０，２０との境界部に沿うように、表面仕上シート２，３の端部２ａ，３ａが差し入れられる凹溝部２９を設けた構成とされている。
【００１１】
表面仕上シート２，３は、当該框状パネル材１が工場出荷後に、例えば、住居等の建物等の施工現場や工務店等の施工現場外の貼着現場において、框状パネル材１の下地面に貼着される。この表面仕上シート２，３としては、薄シート状（フィルム状）とされたもので貼着現場において貼着可能なものであればどのようなものでもよく、例えば、合成樹脂製シートや突板等の化粧シートや、樹脂クロスや紙クロス、布クロス等の壁紙等としてもよい。また、表面仕上シート２，３は、框状パネル材１の下地面に接着剤等によって貼着されるものとしてもよく、裏面に粘着材及び剥離紙が設けられたものとしてもよい。
【００１２】
本実施形態では、框状パネル材１を、図３（ａ）に示すように、一方向（上下方向）に長尺な形状としている。また、この框状パネル材１は、長手方向を上下方向に沿わせて配設される引戸パネルや開き戸パネルなどの建具パネルや、間仕切パネルなどの建具または間仕切を構成するものとしてもよい。
また、本実施形態では、図１に示すように、一対の縦框部１０，１０のパネル厚さ方向の各面としての表面１６，１６，１６，１６と一対の横框部２０，２０のパネル厚さ方向の各面としての表面２６，２６，２６，２６とを、段差状としている。つまり、一対の縦框部１０，１０のパネル厚さ方向一方の表面１６，１６と一対の横框部２０，２０のパネル厚さ方向一方の表面２６，２６とを段差状としている。また、一対の縦框部１０，１０のパネル厚さ方向他方の表面１６，１６と一対の横框部２０，２０のパネル厚さ方向他方の表面２６，２６とを段差状としている。
また、本実施形態では、一対の縦框部１０，１０の表面１６，１６，１６，１６が一対の横框部２０，２０の表面２６，２６，２６，２６よりもパネル厚さ方向外側に位置する構成としている。つまり、一対の縦框部１０，１０のパネル厚さ方向に沿う寸法を、一対の横框部２０，２０のパネル厚さ方向に沿う寸法よりも大きい寸法としている。
【００１３】
また、本実施形態では、図２に示すように、框状パネル材１を、これら縦框部１０，１０及び横框部２０，２０を有した四方框部内に、これらよりもパネル厚さ方向に沿う寸法が小さい寸法とされた薄板状の鏡板部３０を設けた構成としている。また、この鏡板部３０を、当該框状パネル材１の厚さ方向略中央に設けた構成としている。
また、本実施形態では、鏡板部３０を、縦框部１０，１０及び横框部２０，２０を有した四方框部を構成する框体とは別体とされたものとしている。また、図例では、鏡板部３０の四周端部を、四方框部の内周側面１８，１８，２８，２８に設けられた嵌込溝に嵌め込み、鏡板部３０を四方框部に対して保持させた構成とした例を示している。なお、このような態様に代えて、または加えて、鏡板部３０の四周端部をパネル厚さ方向両側から挟むように保持する額縁状部材（モール）を四方框部に固定し、鏡板部３０を四方框部に対して保持させた構成としてもよい。
【００１４】
また、図例では、この鏡板部３０を、透光性を有したものとしている。つまり、本実施形態では、框状パネル材１を、採光部を有した採光パネルとしている。この鏡板部３０としては、アクリルやポリカーボネート等の合成樹脂系材料や、ガラス等からなる透光性を有した材料から形成されたものとしてもよい。なお、鏡板部３０は、透光性を有したものに限られず、不透光な木質系材料や合成樹脂系材料等から形成されたものとしてもよく、表面に突板や樹脂フィルム等の表面化粧シートが貼着されたり、塗装が施されたりして表面化粧処理が施されたものとしてもよい。また、鏡板部３０を、四方框部とは別体とされたものとした態様に代えて、四方框部に一体的に設けられたものとしてもよい。この場合は、鏡板部３０の厚さ方向両面を、表面仕上シートの貼着が可能な易貼着性の下地面としてもよい。
【００１５】
また、本実施形態では、四方框部における鏡板部３０側に向く内周側面１８，１８，２８，２８を、表面仕上シート２，３の貼着が可能な易貼着性の下地面としている。つまり、本実施形態では、框状パネル材１の長手方向両端面（上端面及び下端面）を除いた四方框部の露出する面を、表面仕上シート２，３の貼着が可能な易貼着性の下地面としている。なお、框状パネル材１の長手方向両端面（上端面及び下端面）を、表面仕上シートの貼着が可能な易貼着性の下地面としてもよい。
また、本実施形態では、一対の縦框部１０，１０を、当該框状パネル材１の全長に亘って設けた構成としている。つまり、框状パネル材１を、縦勝ち状の四方框状パネルとしている。つまりは、四方框部のパネル幅方向外側面は、一対の縦框部１０，１０のそれぞれのパネル幅方向外方側に向く外側面１７，１７によって構成されている。
【００１６】
また、本実施形態では、図３（ａ）に示すように、縦框部１０と横框部２０との境界部に沿う凹溝部２９を、当該框状パネル材１の長手方向に延びるように設けた構成としている。
つまりは、框状パネル材１のパネル厚さ方向両側における一対の横框部２０，２０のパネル幅方向両側と一対の縦框部１０，１０との境界部に沿うように、それぞれに同様の構成とされた８つの凹溝部２９を設けた構成としている。
この凹溝部２９は、図１及び図２に示すように、パネル厚さ方向外方側に向けて開口し、かつ框状パネル材１の長手方向外側端面（上端面または下端面）及び四方框部のパネル長手方向に向く内周側面２８において開口するように設けられている。また、この凹溝部２９は、パネル幅方向に向く溝幅方向両側の内側壁１８ａ，２７とパネル厚さ方向外方側に向く溝底面とによって区画され、略矩形溝形状とされている。
【００１７】
この凹溝部２９の溝幅寸法（パネル幅方向に沿う寸法）や溝深さ寸法（パネル厚さ方向に沿う寸法）は、表面仕上シート２，３の厚さに応じて、また、表面仕上シート２，３の各端部２ａ，３ａの差込性や抜けを抑制する観点等から適宜、設定するようにしてもよい。例えば、凹溝部２９の溝幅寸法を、２ｍｍ〜１０ｍｍ程度としてもよく、好ましくは３ｍｍ〜５ｍｍ程度としてもよい。また、この凹溝部２９の溝深さ寸法を、例えば、３ｍｍ〜１５ｍｍ程度としてもよく、好ましくは５ｍｍ〜１０ｍｍ程度としてもよい。
また、本実施形態では、図１に示すように、凹溝部２９の溝幅方向両側の内側壁１８ａ，２７を、表面仕上シート２，３の貼着が可能な易貼着性の下地面としている。また、図２及び図３（ａ）に示すように、凹溝部２９の両側の内側壁１８ａ，２７のうちのパネル幅方向中央側に向く一方の内側壁１８ａを、四方框部の内周側面を構成する縦框部１０のパネル幅方向中央側に向く内側面１８と同一平面状としている。
【００１８】
また、本実施形態では、一対の縦框部１０，１０及び一対の横框部２０，２０を、芯材１１，１１，２１，２１に下地面を構成する表面基材１３，１３，２３，２３，２３，２３を貼着した構成としている。
また、図例では、当該框状パネル材１を、互いに別体とされた一対の縦框部１０，１０と一対の横框部２０，２０とを框組して構成した例を示している。また、図例では、一対の縦框部１０，１０の長手方向両端部の互いに向き合う内側面側に、一対の横框部２０，２０のパネル幅方向両端部に設けられた係合凸部２２，２２，２２，２２を受け入れる係合凹所を設けた構成としている。また、図例では、これら縦框部１０，１０と横框部２０，２０とを、ダボ接合によって框組した例を示している。なお、これら縦框部１０，１０と横框部２０，２０とを、框組する態様としては、その他、種々の態様としてもよい。
【００１９】
一対の縦框部１０，１０は、両表面１６，１６、外側面１７及び凹溝部２９の内側壁１８ａを含む内側面１８が一連状の下地面とされている。これら一対の縦框部１０，１０は、互いに同様の構成とされている。
これら縦框部１０，１０は、芯材１１，１１に表面基材１３，１３を貼着した構成とされている。
表面基材１３，１３は、上記した両表面１６，１６、外側面１７及び凹溝部２９の内側壁１８ａを含む内側面１８が一連状の下地面となるように、芯材１１，１１に一連状に貼着されている。図例では、略角柱状とされた芯材１１，１１の四周に沿わせるように表面基材１３，１３をそれぞれに貼着した構成としている。また、内側面側に、上記した係合凹所及び嵌込溝が表面基材１３の厚さによって形成されるように表面基材１３を芯材１１に貼着した構成としている。なお、このような態様に代えて、芯材１１を含めて表面基材１３を切除等して係合凹所及び嵌込溝を設けた構成としてもよい。
【００２０】
また、これら表面基材１３，１３は、薄板状の木質系基材１４，１４の表面に、下地面を構成する下地シート１５，１５をそれぞれに貼着した構成とされ、かつ裏面側に芯材１１，１１の四周の角部に応じた折曲溝を設けた構成とされている。これら表面基材１３，１３は、折曲溝の部位において残存する少なくとも下地シート１５の部位がヒンジ部（折曲部）のように機能し、これらの部位において折り曲げ可能とされている。
なお、芯材１１の四周角部に応じた折曲溝を、これらの部位において折り曲げられて形成された縦框部１０の四周角部がＲ面取り状の突湾曲面形状やＣ面取り形状等の面取り形状となるように表面基材１３の裏面側に設けた構成としてもよい。
また、表面基材１３は、芯材１１の四周に適宜の接着剤等によって貼着するようにしてもよい。
【００２１】
一対の横框部２０，２０は、パネル厚さ方向の各面側における表面２６、パネル幅方向両側の凹溝部２９，２９の内側壁２７，２７及び四方框部の内周側面を構成するパネル長手方向中央側に向く内側面２８が一連状の下地面とされている。これら一対の横框部２０，２０は、互いに概ね同様の構成とされている。図例では、上側の横框部２０のパネル長手方向に沿う寸法（上下寸法）を、下側の横框部２０の上下寸法よりも小さい寸法とした例を示しているが、このような態様に限られない。
これら横框部２０，２０は、芯材２１，２１に表面基材２３，２３，２３，２３を貼着した構成とされている。
【００２２】
パネル厚さ方向の各面側の表面基材２３は、上記した表面２６、凹溝部２９，２９の内側壁２７，２７及び内側面２８が一連状の下地面となるように、芯材２１のパネル厚さ方向の各面側のそれぞれに一連状に貼着されている。図例では、芯材２１のパネル幅方向両端部にパネル幅方向外方側に向けて突出するように設けられた係合凸部２２，２２の先端側を露出させるように、表面基材２３，２３を貼着した例を示している。つまり、芯材２１の係合凸部２２，２２が凹溝部２９の溝底面を構成している。なお、このような態様に代えて、凹溝部２９の溝底面が下地面となるように表面基材２３，２３を貼着した態様としてもよい。また、上記と概ね同様、内側面側に、上記した嵌込溝が表面基材２３，２３の厚さによって形成されるように表面基材２３，２３を芯材２１に貼着した構成としてもよい。
また、表面基材２３，２３は、上記同様、薄板状の木質系基材２４，２４の表面に、下地面を構成する下地シート２５，２５をそれぞれに貼着した構成とされている。また、表面基材２３，２３は、上記と概ね同様、裏面側に芯材２１，２１のパネル幅方向両側の凹溝部を構成する両角部及び内側面側の角部に応じた折曲溝を設けた構成とされている。
【００２３】
なお、各框部１０，２０の芯材１１，２１は、木質系材料から形成されたものとしてもよい。木質系材料としては、合板やＬＶＬ（単板積層材）等の木質積層板、パーティクルボード等の木質ボード、インシュレーションボードやＭＤＦ（中密度繊維板）等の木質繊維板などとしてもよい。または、これら芯材１１，２１を、合成樹脂系材料に、木粉や無機フィラー、相溶化剤、着色剤などを所定の含有割合で含有させた木粉・プラスチック複合材（ＷＰＣ）から形成されたものとしてもよい。また、これら芯材１１，２１は、上記した形状に中実状とされたものに限られず、複数の枠部材や桟部材を組み付けた構成とされたフラッシュ状の芯材としてもよい。
【００２４】
また、各框部１０，２０の表面基材１３，２３の裏面側層を構成する木質系基材１４，２４としては、上記同様の木質系材料から形成されたものとしてもよい。この木質系基材１４，２４は、例えば、１．０ｍｍ〜５．０ｍｍ程度の厚さ寸法とされたものとしてもよい。
また、表面基材１３，２３の表面側層を構成する下地シート１５，２５としては、その表面が、表面仕上シート２，３の貼着が可能で剥離し難いような易貼着性の表面物性（貼着手段による十分な貼着強度が得られる物性）を有したものとしてもよい。このような下地シート１５，２５としては、紙材や、紙材に貼着手段としての接着剤との親和性のある樹脂を含浸させたシート、貼着手段としての接着剤との親和性のある樹脂シート等としてもよい。また、下地シート１５，２５の表面が易貼着性の下地面となるように適宜の表面処理（表面研磨や、プライマー塗布、各種放電処理、光オゾン処理等）が施されたものとしてもよい。また、下地シート１５，２５は、例えば、５０μｍ〜１．０ｍｍ程度の厚さ寸法とされたものとしてもよい。
【００２５】
また、表面基材１３，２３としては、木質系基材１４，２４と下地面を構成する下地シート１５，２５とからなる二層構造とされたものに限られず、木質系基材１４，２４の裏面側や木質系基材１４，２４と下地シート１５，２５との間に他のシート材等を更に積層した構造とされたものとしてもよい。
また、当該框状パネル材１の下地面１６，１７，１８，１８ａ，２６，２７，２８の色柄は、表面仕上シート２，３の表面意匠への影響がないように、白色や淡い色等としてもよく、また、単色や無地等としてもよい。
また、当該框状パネル材１の下地面１６，１７，１８，１８ａ，２６，２７，２８に、表面仕上シート２，３を貼着する際に表面仕上シート２，３との間に入り込む空気を排出するための複数の溝を設けた構成としてもよい。
また、当該框状パネル材１が、建具や可動間仕切を構成する場合には、当該框状パネル材１に、ランナーや戸車等の走行案内部材や、蝶番等の回動連結部材、ハンドルや引手等の手掛部材、錠装置等を取り付けるための収納凹所や加工孔等を適宜、設けておくようにしてもよい。
また、当該框状パネル材１の下地面１６，１７，１８，１８ａ，２６，２７，２８を全面に亘って覆うように、剥離可能な剥離シート等の保護シートを貼着した構成としてもよい。
【００２６】
上記構成とされた框状パネル材１に表面仕上シート２，３を貼着し、框状パネル材１を表面仕上済パネル９とする際には、例えば、以下のようにしてもよい。
図例では、一対の縦框部１０，１０のそれぞれに一枚の縦框表面仕上シート２，２を一連状に貼着し、一対の横框部２０，２０のそれぞれのパネル厚さ方向両面側のそれぞれに、一枚の横框表面仕上シート３，３，３，３を一連状に貼着した例を示している。
縦框部１０には、例えば、パネル厚さ方向一方面側の上下の凹溝部２９，２９に、縦框表面仕上シート２の上下端部の一側端部２ａ，２ａを差し込み、また、パネル厚さ方向一方面側の内側面１８に、縦框表面仕上シート２の上下途中部位の一側端部２ｂを貼着する。そして、縦框部１０のパネル厚さ方向一方側の表面１６、外側面１７及び他方側の表面１６に巻き付けるように貼着する。そして、パネル厚さ方向他方面側の上下の凹溝部２９，２９に、縦框表面仕上シート２の上下端部の他側端部２ａ，２ａを差し込み、また、パネル厚さ方向他方面側の内側面１８に、縦框表面仕上シート２の上下途中部位の他側端部２ｂを貼着するようにしてもよい。
【００２７】
また、横框部２０のパネル厚さ方向一方面側には、横框部２０のパネル厚さ方向一方側の表面２６に横框表面仕上シート３を貼着する。そして、この横框表面仕上シート３の内側面２８側の端部３ｂを横框部２０のパネル厚さ方向一方面側の内側面２８に貼着するようにしてもよい。また、横框表面仕上シート３のパネル幅方向両側の端部３ａ，３ａを、横框部２０のパネル厚さ方向一方面側におけるパネル幅方向両側の凹溝部２９，２９にそれぞれ差し込むようにしてもよい。また、横框部２０のパネル厚さ方向他方面側にも同様にして横框表面仕上シート３を貼着するようにしてもよい。
【００２８】
なお、これら表面仕上シート２，３は、各框部１０，２０の下地面１６，１７，１８，１８ａ，２６，２７，２８に貼着可能なように、適宜の寸法とされたものとしてもよい。また、各表面仕上シート２，３の凹溝部２９に差し込まれる端部２ａ，３ａに余長部位を設け、その余長部位をへら等によって凹溝部２９に押し込むように差し込み、凹溝部２９内においてカッター等によって切断する態様としてもよい。また、鏡板部３０の四周端部においても概ね同様、表面仕上シート２，３の各端部２ｂ，３ｂに余長部位を設け、その余長部位をカッター等によって切断することで表面仕上シート２，３の内周側面側の各端部２ｂ，３ｂを鏡板部３０に突き合わせるように貼着する態様としてもよい。また、鏡板部３０の四周端部をパネル厚さ方向両側から挟むように保持する額縁状部材を設けた場合には、表面仕上シート２，３の内周側面側の各端部２ｂ，３ｂを額縁状部材に突き合わせる態様としてもよい。この場合は、四方框部の内周側面を下地面としないようにしてもよい。さらには、このような態様に代えて、表面仕上シート２，３の内周側面側の各端部２ｂ，３ｂを内周側面に貼着した後に、額縁状部材を固定するような態様等としてもよい。
【００２９】
また、これら表面仕上シート２，３は、適宜の接着剤によって各框部１０，２０の下地面１６，１７，１８，１８ａ，２６，２７，２８に貼着するようにしてもよい。または、表面仕上シート２，３の裏面に剥離紙や粘着材が設けられている場合には、剥離紙を剥がして貼着するようにしてもよい。
また、このような表面仕上工程は、住居等の建物等の施工現場において行うようにしてもよく、工務店等の施工現場外において行うようにしてもよい。また、建具や可動間仕切を構成する場合には、建て付けられた状態で、表面仕上シート２，３を貼着するような態様等としてもよい。
また、表面仕上済パネル９が建具や可動間仕切を構成し、框状パネル材１に上記のような収納凹所や加工孔等が設けられている場合には、表面仕上シート２を貼着した後に、当該部位に貼着された表面仕上シート２を切除等するようにしてもよい。
また、上記した各表面仕上シート２，３の貼着態様は、一例に過ぎず、種々の貼着態様の採用が可能である。例えば、縦框部１０や横框部２０のパネル厚さ方向一方面側に一枚の表面仕上シート２，３を一連状に貼着した態様に代えて、複数枚の表面仕上シートを貼着した態様等としてもよい。
【００３０】
本実施形態に係る框状パネル材１は、上述のような構成としたことで、表面意匠の選択自由度及び表面仕上シート２，３の貼着性を向上させながらも、表面仕上シート２，３の剥離を抑制することができる。
つまり、少なくとも四方框部のパネル厚さ方向両面（表面）１６，１６，１６，１６，２６，２６，２６，２６及びパネル幅方向外側面１７，１７を、表面仕上シート２，３の貼着が可能なように易貼着性の下地面としている。従って、他の内装材や内装設備等の表面意匠と色柄等を合わせた表面仕上シート２，３を選択したり、内装の仕上げ段階の際や部分リフォームの際等に、他の内装部位との調和性を見るなどして表面仕上シート２，３を選択したりすることができる。そして、その選択した表面仕上シート２，３を、当該框状パネル材１の各框部１０，２０の下地面１６，１７，１８，１８ａ，２６，２７，２８に容易に貼着することができ、表面意匠の選択自由度を向上させることができる。
【００３１】
また、パネル厚さ方向両面（表面）１６，１６，１６，１６，２６，２６，２６，２６における一対の縦框部１０，１０と一対の横框部２０，２０との境界部に沿うように、表面仕上シート２，３の端部２ａ，３ａが差し入れられる凹溝部２９を設けている。従って、各框部１０，２０の表面１６，１６，１６，１６，２６，２６，２６，２６のそれぞれに貼着された表面仕上シート２，３の端部２ａ，３ａを凹溝部２９に差し入れて納めることができる。これにより、縦框部１０と横框部２０との境界部において表面仕上シート２，３の端部２ａ，３ａ同士を突き合わせたり、重ね合わせたりして納める態様とした場合と比べて、表面仕上シート２，３の剥離を抑制することができる。また、表面仕上シート２，３の端部２ａ，３ａを凹溝部２９に差し入れて納めることができるので、表面仕上シート２，３の加工誤差等を吸収することができる。また、縦框部１０の表面１６，１６と横框部２０の表面２６とに個別に表面仕上シート２，３を貼着することができるので、四方框部の表面１６，１６，２６，２６に一連状に表面仕上シート２，３を貼着する態様とした場合と比べて、貼着性を向上させることができる。
【００３２】
また、本実施形態では、凹溝部２９の溝幅方向両側の内側壁１８ａ，２７を、表面仕上シート２，３の貼着が可能な易貼着性の下地面としている。従って、凹溝部２９の溝幅方向両側の内側壁１８ａ，２７に表面仕上シート２，３の端部２ａ，３ａを貼着することもできる。これによれば、表面仕上シート２，３の剥離をより効果的に抑制することができる。
【００３３】
また、本実施形態では、一対の縦框部１０，１０のパネル厚さ方向の各面１６，１６，１６，１６と一対の横框部２０，２０のパネル厚さ方向の各面２６，２６，２６，２６とを、段差状としている。従って、鏡板部３０に加え、縦框部１０のパネル厚さ方向面１６と横框部２０のパネル厚さ方向面２６とにも段差が形成され、立体的な重厚感のある外観を呈するものとなる。また、このように段差が設けられた場合には、特に、境界部において表面仕上シート２，３の貼着がし難くなったり、表面仕上シート２，３の端部２ａ，３ａが剥がれ易くなったりすることが考えられる。本実施形態によれば、上述のように、境界部の凹溝部２９に表面仕上シート２，３の端部２ａ，３ａを差し入れて納めることができるので、このようなことを抑制することができる。
【００３４】
次に、本発明に係る他の実施形態について、図面を参照しながら説明する。
図４は、第２実施形態に係る框状パネル材の一例を模式的に示す図である。
なお、上記第１実施形態との相違点について主に説明し、同様の構成については、同一の符号を付し、その説明を省略または簡略に説明する。
【００３５】
本実施形態に係る框状パネル材１Ａは、図４に示すように、凹溝部２９Ａに差し入れられた表面仕上シート２，３の端部２ａ，３ａを押さえるように凹溝部２９Ａに挿入されるシート押さえ部材３１を備えた構成が、上記第１実施形態とは主に異なる。
また、本実施形態では、凹溝部２９Ａの溝幅寸法を、シート押さえ部材３１の挿入が可能なように、上記第１実施形態よりも大きい寸法としている。図例では、横框部２０Ａの芯材２１Ａの係合凸部２２Ａの突出寸法を上記第１実施形態よりも大きくし、凹溝部２９Ａの溝幅寸法を、上記第１実施形態よりも大きい寸法とした例を示している。この凹溝部２９Ａの溝幅寸法は、シート押さえ部材３１の溝幅方向に沿う寸法に応じて適宜の寸法としてもよく、５ｍｍ〜２０ｍｍ程度としてもよく、好ましくは１０ｍｍ〜１５ｍｍ程度としてもよい。
【００３６】
シート押さえ部材３１は、凹溝部２９Ａの長手方向に沿って長尺な棒状とされている。また、本実施形態では、このシート押さえ部材３１を、凹溝部２９Ａ内に全体が収容される形状としている。
このシート押さえ部材３１のパネル厚さ方向に沿う寸法は、凹溝部２９Ａの溝深さ寸法に応じた寸法としてもよく、凹溝部２９Ａの溝深さ寸法よりも小さい寸法としてもよい。図例では、シート押さえ部材３１のパネル厚さ方向に沿う寸法を、凹溝部２９Ａに挿入された状態で、その表面が横框部２０Ａの表面２６に貼着された表面仕上シート３の表面と略同一平面状となるような寸法とした例を示している。
また、このシート押さえ部材３１のパネル幅方向に沿う寸法は、表面仕上シート２，３の端部２ａ，３ａが差し入れられた状態における凹溝部２９Ａに挿入可能で、かつこれら端部２ａ，３ａを凹溝部２９Ａの溝幅方向両側の内側壁１８ａ，２７に押圧可能なように適宜の寸法としてもよい。
また、このシート押さえ部材３１は、凹溝部２９Ａの全長に亘って設けられるものとしてもよい。
【００３７】
なお、図例では、シート押さえ部材３１を、中実の角柱棒状とした例を示しているが、中空筒状としたり、凹溝部２９Ａの溝底側に向くように開口した略Ｕ字溝形状（略Ｃ字溝形状、略コ字溝形状）としたりしてもよい。また、シート押さえ部材３１のパネル幅方向に沿う方向の両外側面に、パネル幅方向に沿う方向に突出する凸部をそれぞれに設けてもよい。
また、このシート押さえ部材３１は、表面仕上シート２，３の端部２ａ，３ａが差し入れられた状態における凹溝部２９Ａに挿入するのみで、その弾性復元力や摩擦力等によって凹溝部２９Ａ内に保持されるものとしてもよい。または、シート押さえ部材３１を、接着剤等によって凹溝部２９Ａ内に固定するようにしてよい。
また、シート押さえ部材３１は、上記したＷＰＣや、硬質の合成樹脂系材料、金属系材料等から形成されたものとしてもよい。
【００３８】
上記構成とされた框状パネル材１Ａにも、上記第１実施形態と概ね同様にして表面仕上シート２，３の貼着が可能である。また、凹溝部２９Ａに差し入れられた表面仕上シート２，３の端部２ａ，３ａを押さえるようにシート押さえ部材３１を凹溝部２９Ａに挿入し、表面仕上済パネル９Ａとしてもよい。
本実施形態に係る框状パネル材１Ａにおいても、上記した第１実施形態と略同様の効果を奏する。
また、本実施形態では、凹溝部２９Ａに差し入れられた表面仕上シート２，３の端部２ａ，３ａを押さえるように凹溝部２９Ａに挿入されるシート押さえ部材３１を備えた構成としている。従って、シート押さえ部材３１によって、表面仕上シート２，３の端部２ａ，３ａが復元力等によって凹溝部２９Ａから出てしまうようなことを防止することができ、表面仕上シート２，３の剥離をより効果的に抑制することができる。
【００３９】
次に、本発明に係る更に他の実施形態について、図面を参照しながら説明する。
図５は、第３実施形態に係る框状パネル材の一例を模式的に示す図である。
なお、上記第２実施形態との相違点について主に説明し、同様の構成については、同一の符号を付し、その説明を省略または簡略に説明する。
【００４０】
本実施形態に係る框状パネル材１Ｂは、図５に示すように、凹溝部２９Ｂの溝底面を、縦框部１０Ａ側と横框部２０Ｂ側とに跨るように設けた構成、及びシート押さえ部材３１Ａの構成が、上記第２実施形態とは主に異なる。
本実施形態では、上記と概ね同様に横框部２０Ｂのパネル幅方向両端部に設けられた凸部２２Ｂ，２２Ｂに対向するように、一対の縦框部１０Ａ，１０Ａのパネル幅方向内方側端部に凸部１２，１２を設けた構成としている。また、これら縦框部１０Ａの凸部１２と横框部２０Ｂの凸部２２Ｂとによって凹溝部２９Ｂの溝底面を構成している。また、この凸部１２は、縦框部１０Ａの全長に亘って設けられている。図例では、内周側面を構成する凸部１２の先端面１９及び凸部１２のパネル厚さ方向両側面が、凸部１２のパネル厚さ方向両側の内側面１８Ａ，１８Ａから一連状の下地面となるように、芯材１１Ａに表面基材１３Ａを貼着した構成とした例を示している。
また、シート押さえ部材３１Ａのパネル厚さ方向外方側端部を、縦框部１０Ａのパネル厚さ方向面１６と横框部２０Ｂのパネル厚さ方向面２６との段差に応じた段差状としている。
【００４１】
上記構成とされた框状パネル材１Ｂにも、上記第１実施形態と概ね同様にして表面仕上シート２，３の貼着が可能である。また、上記第２実施形態と同様、凹溝部２９Ｂに差し入れられた表面仕上シート２，３の端部２ａ，３ａを押さえるようにシート押さえ部材３１Ａを凹溝部２９Ｂに挿入し、表面仕上済パネル９Ｂとしてもよい。
本実施形態に係る框状パネル材１Ｂにおいても、上記した第２実施形態と略同様の効果を奏する。
【００４２】
なお、上記各実施形態に係る框状パネル材１，１Ａ，１Ｂを、建具パネルとした場合には、建て付けられる建具枠を構成する枠材の少なくとも施工された状態で露出する表面を、上記同様な表面仕上シートの貼着が可能なように易貼着性の下地面としてもよい。また、この場合は、建具枠を構成する上枠材と一対の縦枠材とが接合された状態で、これらの両見付面における境界部に沿うように、上記同様な表面仕上シートの端部が差し入れられる凹溝部が形成されるものとしてもよい。
また、上記各実施形態では、凹溝部２９，２９Ａ，２９Ｂの溝幅方向両側の内側壁１８ａ，２７を下地面とした例を示しているが、これらを下地面としないようにしてもよい。
また、上記各実施形態では、一対の縦框部１０，１０Ａのパネル厚さ方向の各面１６，１６，１６，１６と一対の横框部２０，２０Ａ，２０Ｂのパネル厚さ方向の各面２６，２６，２６，２６とを段差状とした例を示しているが、これらを略同一平面状としてもよい。
【００４３】
また、上記各実施形態では、框状パネル材１，１Ａ，１Ｂを、縦勝ち状とした例を示しているが、横勝ち状としてもよい。つまり、パネル幅方向に延びる凹溝部２９，２９Ａ，２９Ｂが設けられたものとしてもよい。
また、上記各実施形態では、互いに別体とされた一対の縦框部１０，１０Ａと一対の横框部２０，２０Ａ，２０Ｂとを框組して構成した例を示しているが、このような態様に限られない。例えば、複数の枠部材や桟部材をフラッシュ状に枠組みして四方框部の芯材を構成し、この芯材に表面基材を貼着したような構成としてもよい。さらには、框状パネル材１，１Ａ，１Ｂの四方框部を、芯材に表面基材を貼着した態様とせずに、中実の板状部材から構成されたものとしてもよい。この場合は、上記した各面が下地面となるように、適宜の表面処理を施すようにしてもよい。
【００４４】
また、框状パネル材１，１Ａ，１Ｂの形状等は、上記した例に限られず、種々の変形が可能である。例えば、パネル長手方向途中部位に、中間横框部を更に設けた態様としてもよい。この場合は、中間横框部と一対の縦框部との境界部にも、上記同様な凹溝部を設けるようにしてもよい。
また、上記各実施形態に係る框状パネル材１，１Ａ，１Ｂは、建具パネルや間仕切パネルとして用いられるものに限られない。例えば、これらを、カウンターパネルとして用いられるものや、収納部を区画する各種のパネル（天板や側板、底板、棚板、仕切板等）として用いられるものとしたり、他の家具材や、他の内装材等として用いられるものとしてもよい。
【符号の説明】
【００４５】
１，１Ａ，１Ｂ        框状パネル材
１０，１０Ａ          縦框部
１６                  表面（パネル厚さ方向面）
１７                  外側面（パネル幅方向外側面）
２０，２０Ａ，２０Ｂ  横框部
２６                  表面（パネル厚さ方向面）
２９，２９Ａ，２９Ｂ  凹溝部
３０                  鏡板部
３１，３１Ａ          シート押さえ部材
２                    縦框表面仕上シート（表面仕上シート）
２ａ                  端部
３                    横框表面仕上シート（表面仕上シート）
３ａ                  端部
【図１】
2015224505.tif 000003
【図２】
2015224505.tif 000004
【図３】
2015224505.tif 000005
【図４】
2015224505.tif 000006
【図５】
2015224505.tif 000007